(57)【要約】【課題】少なくとも１つの電気的部材を収容するための、電磁遮蔽を有するケーシングにおいて取り付けの煩雑さを低減し，ひいては取り付け過程の確実性を向上させること。【解決手段】少なくとも１つの電気的部材を収容するための、電磁遮蔽を有するケーシングにおいて、このケーシングが、当接領域において互いに当接する少なくとも２つのケーシング部分を有し、これらのケーシング部分がその当接領域において低インピーダンスの電気的接合部を有するようにする。【選択図】　　　図２
2004040096.tif 000002
【特許請求の範囲】
【請求項１】
少なくとも１つの電気的部材を収容するための、電磁遮蔽を有するケーシング（２０）であって、
該ケーシング（２０）は、当接領域（３３）にて互いに当接するケーシング部分（２１，２２，３０，３１）を有する形式の、電磁遮蔽を有するケーシングにおいて、
前記ケーシング部分（２１，２２，３０，３１）が、前記当接領域（３３）にて低インピーダンスの電気的接合部を有することを特徴とする、
電磁遮蔽を有するケーシング。
【請求項２】
前記ケーシング部分（２１，２２，３０，３１）は、周囲を取り囲む縁部全体にわたって互いに当接する、
請求項１に記載のケーシング。
【請求項３】
前記の低インピーダンスの電気的接合部は、互いに接するケーシング（２１，２２，３０，３１）間の少なくとも１つの圧接個所として構成されている、
請求項１または２に記載のケーシング。
【請求項４】
前記のケーシング部分のうちの一方（２１）は、当接領域に沿って延在する切り欠き部（２４）を有しており、
該切り欠き部に他方のケーシング部分（２２）の、当接領域に沿って延在する突出部（２５）が係合する、
請求項３に記載のケーシング。
【請求項５】
前記切り欠き部（２４）の縁部（２６，２７）は曲げることができる、
請求項４に記載のケーシング。
【請求項６】
前記突出部（２５）は曲げることができる、
請求項４または５に記載のケーシング。
【請求項７】
前記の縁部（２６，２７）および／または突出部（２５）は、低インピーダンスの電気的接合部の領域に傾斜部（２８，２９）を有する、
請求項４から６までのいずれか１項に記載のケーシング。
【請求項８】
前記の低インピーダンスの電気的接合部は、互いに当接するケーシング部分（２１，２２）間で面状および／または線状に構成される、
請求項１から７までのいずれか１項に記載のケーシング。
【請求項９】
前記の低インピーダンスの電気的接合部は、互いに当接するケーシング部分（２１，２２，３０，３１）間で点状に構成される、
請求項１から７までのいずれか１項に記載のケーシング。
【請求項１０】
前記の点状に構成される接合部は、突起状の隆起部（３２）として形成される、
請求項９に記載のケーシング。
【請求項１１】
前記ケーシング（２０）は、金属および／または導電性のプラスチックおよび／またはメタライゼーションされたプラスチックから作製される、
請求項１から１０までのいずれか１項に記載のケーシング。
【発明の詳細な説明】
【０００１】
【発明の属する技術分野】
本発明は、少なくとも１つの電気的部材を収容するための、電磁遮蔽を有するケーシングに関し、ここでこのケーシングは、当接領域において互いに当接する少なくとも２つのケーシング部分を有する。
【０００２】
図１には、ここでは詳しく示していない電気的部材を含むことが可能な、電磁遮蔽を有するケーシング１０の詳細図が断面で示されている。これは従来技術から公知のとおりである。ケーシング１０には、当接領域１３において互いに当接するケーシング部分１１と、ケーシング部分１２とを有する。当接領域１３には導電性のパッキング１４が配置されている。導電性のパッキング１４により、ケーシング１０に配置される電気的部材と、ケーシング１０の外側の周囲との間の電磁気的な相互作用を低減または除去する。それは、互いに当接するケーシング部分１１および１２の当接領域１３におけるすきまは、ケーシングの電磁遮蔽に関して弱い個所を形成するからである。しかしながら従来技術から公知のこのパッキング１４において不利であるのは、ケーシング１１と１２との間にパッキングを挿入するために必要になる付加的な取り付けコストである。すなわちパッキング１４は、ケーシング１０を作製する際の付加的なコスト要因なのである。パッキング１４の挿入は、このパッキング１４が手動または自動のいずれで挿入されるかに関係なく付加的に時間を浪費するため、パッキング１４の取り付けは、ケーシング１０の全体的な作製の流れに不利であり、しかも部材の数が多い際には殊に不利である。パッキング１４の挿入は、ケーシング１０の作製時にある種の不安定要因でもある。なぜならば殊にパッキング１４を自動でケーシング部分１１と１２との間に挿入する際に、例えば部材１１と１２との間にパッキング１４が不正確に配置されることによって障害が発生し得るからである。
【０００３】
【発明が解決しようとする課題】
本発明の課題は、冒頭に述べた形式のケーシングにおいて、取り付けの煩雑さを低減し，ひいては取り付け過程の確実性を向上させることである。
【０００４】
【課題を解決するための手段】
上記課題は、本発明により、少なくとも１つの電気的部材を収容するための、電磁遮蔽を有するケーシングにおいて、このケーシングが、当接領域において互いに当接する少なくとも２つのケーシング部分を有し、これらのケーシング部分がその当接領域において低インピーダンスの電気的接合部を有することによって解決される。
【０００５】
【発明の実施の形態および利点】
本発明にしたがい、低インピーダンスの電気的接合部を有する、ケーシング部分間の当接領域を構成することによって、今後は導電性のパッキングを完全に省略することが可能である。これにより、これまではパッキングを挿入しなければならなかった作製ステップがなくなるため、全体的に取り付けの煩雑さが低減され、殊に部材数が多い際には取り付け時間および取り付けコストに有利である。今後はケーシングの取り付けの際に、より少ない部材を取り付ければよく、導電性のパッキングの不正確な配置もなくなるため、本発明のケーシングにより、これからは取り付け過程の確実性が格段に向上するのである。ケーシングの材料の厚さ（Ｍａｔｒｉａｌｓｔａｅｒｋｅ）に応じて種々異なる遮蔽の減衰度が得られる。
【０００６】
ケーシングの材料の厚さと、使用される材料とに応じて、遮蔽の減衰度を変えることができる。
【０００７】
ケーシング部分が、周囲を取り囲む縁部全体にわたって当接する場合、周囲を取り囲む電気的コンタクトが２つのケーシング部分の間で実現される。
【０００８】
電磁遮蔽に関して殊に効果的であるのは、低インピーダンスの電気的接合部であり、この接合部が、互いに接するケーシング部分間の少なくとも１つの圧接個所として構成される場合である。なぜならば圧接の際には、互いに接するケーシング部分間のすきまは最小だからである。
【０００９】
互いに接するケーシング部分間のすきまが生じてしまうおそれをさらに低減するため、ケーシング部分のうちの一方が、当接領域に沿って延在する切り欠き部を有することが可能であり、この切り欠き部には、当接領域に沿って延在する、他方のケーシング部分の突出部が係合する。この際に上記の切り欠き部の縁部および／または突出部は曲がることができる。縁部および／または突出が曲がることによって２つのケーシング部分を組み立てる際に切り欠き部の縁部と、この切り欠き部に係合する突出部との最適な圧接（Ｄｒｕｃｋｋｏｎｔａｋｔ）を保証することが可能である。それはこの場合に切り欠き部の縁部と、突出部とが弾性的に互いに押しつけ合うからである。さらに、縁部および／または突出部が、低インピーダンスの電気的接合部の領域において傾斜部を有する場合、低インピーダンスの電気的接合部の領域における圧接はさらに強化される。
【００１０】
有利には互いに当接するケーシング部分の低インピーダンスの接合部は、平坦および／または線状および／または点状に構成することができる。
【００１１】
点状に構成される接合部は、突起状の隆起部として殊に簡単に形成することができる。
【００１２】
ケーシング部分、殊に低インピーダンスの電気的接合部の形状が極めて多様であるという点については、ケーシングを金属および／または導電性のプラスチックおよび／またはメタライゼーションされたプラスチックから作製することができる。上記の原材料を選択する際には、ケーシングはつねに電磁遮蔽作用を有する。
【００１３】
【実施例】
以下では実施例を添付の図面に基づき詳しく説明する。
【００１４】
図２には、ケーシング部分２１とケーシング部分２２とを有する電磁遮蔽されたケーシング２０が示されている。ケーシング２０には、電気的部材が装着された基板２３が配置されている。ケーシング部分２１は、切り欠き部２４を有しており、この切り欠き部にケーシング部２２の突出部２５が、ケーシング２０を組み立てる際に係合する。切り欠き部２４は、２つの縁部２６および２７によって構成されており、ここで縁部２６および２７は、使用した材料に応じて曲げが可能であり、その端部領域において傾斜部２８および２９を有する。突出部２５も同様に曲げることができ、ここで突出部２５の曲げを保証するため、切り欠き部２００が設けられている。突出部２５も、縁部２７と同じ傾斜部２９を有する。縁部２６および２７の曲げおよび突出部２５の曲げにより、また傾斜部２８および２９により、ケーシング部２１と２２とを組み立てる際に、ケーシング部２１と２２と間で最適な圧接が形成されるため、本発明の低インピーダンスの電気的接合部と、ひいてはケーシングの遮蔽効果とを、ケーシング部２１と２２との間の接続領域部においても保証することができる。例えばアルミニウムダイカストから作製可能なケーシング部２１および２２は、ケーシング部２１および２２の許容差が最大の際にもそれらの取り付けができるように設計される。しかしながら傾斜部２８および２９の領域では許容差を設計して、ケーシング部２１と２２とを組み立てる際につねに圧接が生じるようにする。組み立てられた状態では、ケーシング外側の縁部２６およびケーシング内側の縁部２７は曲がっている。突出部２５が切り欠き部２４に係合することによって、縁部２６および２７と、突出部２５とが重なるため、傾斜部２８および２９の領域に空隙がある場合であっても、確実な電磁遮蔽が保証され、その際にこのケーシング領域において遮蔽のための付加的な手段は不要である。切り欠き部２４には、パッキング、例えばシリコンパッキングを挿入して、埃、水しぶきなどがケーシング内部に浸入することを回避することが可能である。縁部２６および２７は、下方に長く引き伸ばされるため、切り欠き部２４に挿入されるパッキングにより、電磁遮蔽が損なわれることはない。有利には低インピーダンスの電気的接合部は、傾斜部２８および２９の領域において線状または点状（図３参照）に構成することができるが、また面状に構成することも可能である。低インピーダンスの電気的接合部を点状に構成する際には、この電気的接合部は、ケーシング部分３０と３１との間の当接領域３３において、例えば円錐または円錐台の形状を有する突起状の隆起部３２として構成される。上記の切り欠き部２００によって，突出部２５の曲げが可能になるだけでなく、ケーシング部分２２を作製する際に、通常は完全には回避することができない丸みを有するのがつねであるコーナ領域が発生してしまうことがない。これが回避されない場合、これらの丸みによって阻止されてしまうのは、基板２３がケーシング２０の内側まで完全に当接できることである。さらにコーナ領域におけるこれらの丸みによって制限されてしまうのは、基板２３が完璧にケーシング底部に載置されることである。すなわち切り欠き部２００により、コーナ領域における丸みが除去され、これにより、基板２３はケーシング２０の内側に当接することができ、またケーシング底部に完璧に載置されるのである。
【図面の簡単な説明】
【図１】従来技術から公知のケーシングの詳細な断面図である。
【図２】本発明のケーシングの第１実施形態の詳細な断面図である。
【図３】当接領域において互いに当接する２つのケーシング部分の第２実施形態の詳細図である。
【符号の説明】
１０　ケーシング
１１，１２　ケーシング部分
１３，１４　パッキング
２０　ケーシング
２１　ケーシング部分
２３　基板
２４　切り欠き部
２５　突出部
２６，２７　縁部
２８，２９　傾斜部
２００　切り欠き部
３０，３１　ケーシング部分
３２　突起状の隆起部
３３　当接領域
【図１】
2004040096.tif 000003
【図２】
2004040096.tif 000004
【図３】
2004040096.tif 000005